(57)【要約】  【課題】大幅に電圧変換しても、高効率、低出力電圧リップル特性を実現する非絶縁形コンバータに関する。【解決手段】第１、第２のスイッチ素子を駆動する際に位相差を持たせ時比率を特定範囲に制限して、第１〜第４の期間において第１と第２のスイッチ素子を一連の特定のオンオフ制御を繰り返して、第１、第２のトランスの１次巻線と分圧用コンデンサとからなる直列回路を、第１の期間に入力電源と第１のトランスの２次巻線および出力平滑コンデンサとに直列接続させ、第３の期間に第２のトランスの２次巻線と出力平滑コンデンサとに直列接続させて、第１、第２のトランスに２相の励磁電流を生成し、これらの励磁電流が前記整流手段によって整流して直流電圧を負荷に供給する。【選択図】  図１
2008072834.tif 000002
【特許請求の範囲】
【請求項１】
１次巻線と２次巻線をそれぞれに巻装した第１および第２のトランスと、分圧用コンデンサと、第１および第２のスイッチ素子を備えて形成したスイッチング手段と、前記スイッチ素子をスイッチングさせるスイッチ制御手段と、第１および第２の整流素子を備えて形成した整流手段と、出力平滑コンデンサとを備え、前記第１および第２のスイッチ素子を駆動する際に位相差を持たせ、かつ、時比率を0から0.5までの範囲に制限して、第１の期間において第１のスイッチ素子のみをオンさせ、第２の期間において第１及び第２のスイッチ素子を両方ともオフさせ、第３の期間において第２のスイッチ素子のみをオンさせ、第４の期間において第１及び第２のスイッチ素子を両方ともオフさせる一連の制御を繰り返して、前記第１および第２のトランスの１次巻線と分圧用コンデンサとからなる直列回路を、前記第１の期間に入力電源と前記第１のトランスに巻装された２次巻線および出力平滑コンデンサとに直列接続させ、ならびに、前記第３の期間に前記第２のトランスに巻装された２次巻線と出力平滑コンデンサとに直列接続させて、前期第１および第２のトランスに２相の励磁電流を生成し、これらの励磁電流が前記整流手段によって整流することで直流電圧を負荷に供給することを特徴とする非絶縁形コンバータ。
【発明の詳細な説明】
【技術分野】
【０００１】
本発明は、非絶縁形コンバータに関し、比較的大幅に電圧変換する場合において、高効率、低出力電圧リップル特性を実現するための技術に関する。
【背景技術】
【０００２】
周知のように、電圧を降圧する場合には、図１２に示す降圧形コンバータが広く用いられている。
また、降圧形コンバータを図１３に示すように並列接続し、位相をずらしてスイッチングさせる多相方式は、出力電圧リップルの低減や、負荷応答特性の向上のために広く利用されている。
【発明の開示】
【発明が解決しようとする課題】
【０００３】
しかし、降圧形コンバータは、降圧比が大きくなるほどに電力効率が低下する傾向にあるため、電圧を大幅に降圧する用途には不向きである。また、出力電圧リップルについても、降圧比が大きくなるほどに増加する傾向にあるため、並列接続する相数を増やさざるを得ない。なお、多相方式では、各相の電流にバラツキが生じる問題もあり、電流をバランスさせる制御回路が必要不可欠となる。
【課題を解決するための手段】
【０００４】
本発明における非絶縁形コンバータは、１次巻線と２次巻線をそれぞれに巻装した第１および第２のトランスと、分圧用コンデンサと、第１および第２のスイッチ素子を備えて形成したスイッチング手段と、前記スイッチ素子をスイッチングさせるスイッチ制御手段と、第１および第２の整流素子を備えて形成した整流手段と、出力平滑コンデンサとを備え、前記第１および第２のスイッチ素子を駆動する際に位相差を持たせ、かつ、時比率を0から0.5までの範囲に制限することで、第１の期間において第１のスイッチ素子のみをオンさせ、第２の期間において第１及び第２のスイッチ素子を両方ともオフさせ、第３の期間において第２のスイッチ素子のみをオンさせ、第４の期間において第１及び第２のスイッチ素子を両方ともオフさせる一連の制御を繰り返すことで、前記第１および第２のトランスの１次巻線と分圧用コンデンサとからなる直列回路を、前記第１の期間に入力電源と前記第１のトランスに巻装された２次巻線および出力平滑コンデンサとに直列接続させ、ならびに、前記第３の期間に前記第２のトランスに巻装された２次巻線と出力平滑コンデンサとに直列接続させることで、前期第１および第２のトランスに２相の励磁電流を生成し、これらの励磁電流が前記整流手段によって整流されることで直流電圧を負荷に供給することを特徴とする。
【０００５】
本発明における２相式のスイッチングコンバータの構成する具体的な回路構成例は複数存在しており、以下で述べる回路例に限定されるものではない。
【発明の効果】
【０００６】
本発明における非絶縁形コンバータは、トランスの巻数比を大きく取らなくても、大幅な電圧変換率が得られる。また、出力電圧リップルの低減、スイッチ素子や整流素子における損失やサージの低減が可能である。さらに、２つのトランスを流れる電流が自動的にバランスされるため、電流バランスのための制御回路が不要である。
【発明を実施するための最良の形態】
【０００７】
発明を実施するための最良の形態については本発明の実施例により詳細に説明する。
【実施例１】
【０００８】
図１に本発明における非絶縁形コンバータの回路例を示す。このコンバータは、タップドインダクタコンバータを２相構成にしたものに似ている。１相目のコンバータは，１次巻線np1と２次巻線ns1を持つトランスT1，スイッチ素子S1，ダイオードD1で構成され，２相目のコンバータは，１次巻線np2と２次巻線ns2を持つトランスT2，スイッチ素子S2，ダイオードD2で構成される．また，1次巻線np1，np2と直列に，分圧用コンデンサCiが接続され，出力に平滑コンデンサCoが接続される．なお、Viは直流電源、Rは負荷である。
【０００９】
制御回路は、スイッチ素子S1とS2に位相差を持たせてオン/オフさせる。ただし、これらのスイッチの時比率は、0≦D <0.5の範囲内（時比率D：スイッチング周期に対するスイッチオン期間の割合）に制限される。これにより、順に、スイッチ素子S1のみオン、両方のスイッチ素子がオフ、スイッチ素子S2のみオン、両方のスイッチ素子がオフ、を繰り返す。なお、出力電圧リップルを最小にする最良の形態としては、理論的には、スイッチ素子S1とS2の時比率を同じにし、位相差を１８０°にした時である。
【００１０】
図２〜図４に本実施例の各スイッチング状態における等価回路を示し、図５に回路各部の電圧電流波形を示す。
2008072834.tif 000003
【００１１】
2008072834.tif 000004
【００１２】
2008072834.tif 000005
【００１３】
2008072834.tif 000006
【００１４】
2008072834.tif 000007
【００１５】
本発明のコンバータの定常解析を行う。なお、それぞれのトランスの１次巻線の巻数をn1、２次巻線の巻数をn2とする。また、スイッチ素子のオン時間をTon、オフ時間をToffとする。
2008072834.tif 000008
【００１６】
【数１】
2008072834.tif 000009
ここで、トランスT2の２次巻線ns2には出力電圧Voが加わっているので、トランスT2の１次巻線電圧Vnp2は、トランスの巻数比に比例した値
【００１７】
【数２】
2008072834.tif 000010
となる。数２を数１に代入すれば、
【００１８】
【数３】
2008072834.tif 000011
また、スイッチ素子S1がオフの期間、つまり、t1からt4までの期間では、磁束の減少量が次の数４式で得られる。
【００１９】
【数４】
2008072834.tif 000012
【００２０】
【数５】
2008072834.tif 000013
ここで、トランスT1の２次巻線ns1には出力電圧Voが加わっているので、トランスT1の１次巻線電圧Vnp1は、トランスの巻数比に比例した値
【００２１】
【数６】
2008072834.tif 000014
となる。数６を数５に代入すれば、数７となり
【００２２】
【数７】
2008072834.tif 000015
スイッチ素子S2がオフの期間、つまり、t1からt2までとt3からt4までを合わせた期間では、次の数８式が得られる。
【００２３】
【数８】
2008072834.tif 000016
また、磁束の連続性から、
【００２４】
【数９】
2008072834.tif 000017
【００２５】
【数１０】
2008072834.tif 000018
であるから、これらの式から、数１１が数１２が得られる。
【００２６】
【数１１】
2008072834.tif 000019
【００２７】
【数１２】
2008072834.tif 000020
【００２８】
2008072834.tif 000021
【００２９】
図１に示した本実施の形態を評価するために、以下の回路パラメータで実験を行った。
Vi:140V 、Vo:12 V、Ci:4.4μF、Co:282μF、各トランスの１次巻線 np1、np2:６巻、トランスの１次巻線ns1、ns2:５巻、トランスの励磁インダクタンスLm1,Lm2:８μH、スイッチング周波数: 200 kHz。
図６に、時比率に対する電圧変換率の関係を示すが、本発明におけるコンバータは、トランスの巻数比が1:1の場合において、従来の降圧形コンバータに比べて４倍の降圧比が得られている。図７に、スイッチ素子であるMOSFET S1、S2のドレイン・ソース間電圧波形を示し、図８に、整流素子であるダイオードD1、D2のアノード・カソード間電圧波形を示す。従来の降圧形コンバータでは、スイッチ素子や整流素子にかかる耐圧が電源電圧Viと同じ値となるのに対して、本発明におけるコンバータでは、スイッチ素子や整流素子に加わる電圧が電源電圧より低く抑えられる。そのため、スイッチング損失やスイッチングサージを低減でき、また、低耐圧の部品も利用できる。図９に、従来の２相式降圧形コンバータとの効率の比較を示すが、８％前後の大幅な改善が見られている。図１０に電流リップルの波形を示す。従来の２相式降圧形コンバータが最大6.2Ａのリップルがあるのに対し、図１の実施例では、1.8Ａへ削減できている。図１１に，2.5A負荷時における各相の２次巻線電流波形を示すが，電流にバラツキが生じていないことがわかる．
【産業上の利用可能性】
【００３０】
本発明は、前記手段とするコンバータ構成によって、大きな降圧比を必要とする用途に対して、スイッチング損失やサージの削減、出力電圧リップルの低減、トランスを流れる電流の自動バランスが可能となるため、この種産業に多大な貢献を呈するものである。
【図面の簡単な説明】
【００３１】
【図１】実施例１の回路図である。
【図２】実施例１の回路において、t0からt1までの期間における等価回路を示す図である。
【図３】実施例１の回路において、t1からt2までの期間、および、t3からt4までの期間における等価回路を示す図である。
【図４】実施例１の回路において、t3からt4までの期間における等価回路を示す図である。
【図５】回路各部の電圧電流波形図である。
【図６】実施例１の回路と従来の降圧形コンバータとの、時比率と電圧変換率との関係を示す図である。
【図７】実施例１の回路と従来の降圧形コンバータとの、スイッチ素子のドレイン・ソース間電圧を示す図である。
【図８】実施例１の回路と従来の降圧形コンバータとの、整流素子のアノード・カソード間電圧を示す図である。
【図９】実施例１の回路と従来の２相式降圧形コンバータとの、効率の比較を示す図である。
【図１０】実施例１の回路と従来の２相式降圧形コンバータとの、出力平滑コンデンサの電流リップルの比較を示す図である。
【図１１】実施例１の回路の、各トランスを流れる電流波形を示す図である。
【図１２】従来の降圧形コンバータの回路図を示す。
【図１３】従来の降圧形コンバータを並列接続した多相方式の回路図を示す。
【符号の説明】
【００３２】
Vi                   入力直流電源
S1、S2、             スイッチ素子
Ci、Co               コンデンサ
T1、T2               トランス
np1、np2              トランスの１次巻線
ns1、ns2              トランスの２次巻線
D1、D2               ダイオード
R                    負荷
【図１】
2008072834.tif 000022
【図２】
2008072834.tif 000023
【図３】
2008072834.tif 000024
【図４】
2008072834.tif 000025
【図５】
2008072834.tif 000026
【図６】
2008072834.tif 000027
【図７】
2008072834.tif 000028
【図８】
2008072834.tif 000029
【図９】
2008072834.tif 000030
【図１０】
2008072834.tif 000031
【図１１】
2008072834.tif 000032
【図１２】
2008072834.tif 000033
【図１３】
2008072834.tif 000034